(57)【要約】      （修正有）【課題】多種切換操作を有するチップ型切換装置を提供する。【解決手段】チップ型切換装置は、少なくとも１つの入力パッドＰＩｉｎ（３６）、複数の制御パッドＰＶｉｎ１〜ＰＶｉｎ４（２３、２６、５、８）、複数の出力パッドＰＩｏ１〜ＰＩｏ４（１９、２９、２、１２）、および複数の接地パッドＧＮＤ１〜ＧＮＤ３を含む。入力パッドは、入力信号Ｉｉｎを受信する。制御パッドは、それぞれ複数の制御信号Ｖｉｎ１〜Ｖｉｎ４を受信する。チップ型切換装置は、継電器の多種操作を有するとともに、多種操作において切換を行うよう制御信号に制御され、且つ出力パッドにより入力信号に関連する出力信号Ｉｏ１〜Ｉｏ４を出力する。【選択図】図１
0003234113.tif 000002
【実用新案登録請求の範囲】
【請求項１】
チップ型切換装置であって、
入力信号を受信するよう配置された少なくとも１つの入力パッドと、
それぞれ複数の制御信号を受信するよう配置された複数の制御パッドと、
複数の出力パッドと、
を含み、、
前記チップ型切換装置が、継電器の多種接点操作を有するとともに、前記接点操作において切換を行うよう前記複数の制御信号に制御され、且つ前記複数の出力パッドにより前記入力信号に関連する出力信号を出力するチップ型切換装置。
【請求項２】
記チップ型切換装置が、さらに、
それぞれ接地電位に接続された複数の接地パッドを含む請求項１に記載のチップ型切換装置。
【請求項３】
前記複数の接地パッドのうちの複数の第１接地パッドが、それぞれ前記少なくとも１つの入力パッドの隣接する両側に設置され、
前記複数の接地パッドのうちの複数の第２接地パッドが、それぞれ前記制御パッドの隣接する両側に設置され、
前記複数の接地パッドのうちの複数の第３接地パッドが、それぞれ前記出力パッドの隣接する両側に設置され、
前記複数の接地パッドのうちの第４接地パッドが、前記チップ型切換装置の主要接地パッドである請求項２に記載のチップ型切換装置。
【請求項４】
前記複数の接地パッドの数が、前記少なくとも１つの入力パッド、前記複数の制御パッド、および前記複数の出力パッドの総数の２倍に１を足した数に等しい請求項２に記載のチップ型切換装置。
【請求項５】
前記チップ型切換装置の同一側辺に設置された前記少なくとも１つの入力パッド、前記複数の制御パッド、および前記複数の出力パッドのうちの２つが、前記複数の接地パッドの少なくとも１つにより間隔を空けた請求項２に記載のチップ型切換装置。
【請求項６】
前記少なくとも１つの入力パッドが、前記チップ型切換装置の第１側辺に設置され、
前記複数の制御パッドおよび一部の前記複数の出力パッドが、前記チップ型切換装置の  前記第１側辺と異なる向かい合う２つの側辺に対称に設置され、
その他の前記複数の出力パッドが、前記チップ型切換装置の前記第１側辺と異なる向かい合う側辺に対称に設置された請求項１に記載のチップ型切換装置。
【請求項７】
前記複数の制御パッドのうちの第１制御パッドおよび第２制御パッドが、前記向かい合う２つの側辺のうちの第２側辺に設置され、
前記複数の制御パッドのうちの第３制御パッドおよび第４制御パッドが、前記向かい合う２つの側辺のうちの前記第２側辺に向かい合う第３側辺に設置され、
前記第１制御パッドが、第１制御信号を受信し、
前記第２制御パッドが、第２制御信号を受信し、
前記第１制御信号および前記第２制御信号が、制御信号対として形成された請求項６に記載のチップ型切換装置。
【請求項８】
前記少なくとも１つの入力パッドおよび前記複数の制御パッドが、前記チップ型切換装置の第１側辺に対称に設置され、
前記複数の出力パッドが、前記チップ型切換装置の第２側辺に対称に設置され、
前記第１側辺が、前記第２側辺に向かい合う請求項１に記載のチップ型切換装置。
【請求項９】
前記少なくとも１つの入力パッドおよび前記複数の出力パッドが、それぞれ静電気放電保護デバイスに並列接続された請求項１に記載のチップ型切換装置。
【請求項１０】
前記接点操作が、Ａ接点操作およびＣ接点操作を含み、
前記チップ型切換装置が、Ａ接点操作およびＣ接点操作の間で切換を行うよう前記制御信号に制御される請求項１に記載のチップ型切換装置。
【考案の詳細な説明】
【技術分野】
【０００１】
この考案は、信号切換装置に関するものであり、特に、継電器の多種切換操作を有するチップ型切換装置に関するものである。
【背景技術】
【０００２】
信号の伝送運用において、切換装置は、信号伝送経路または信号切換を行うよう設計される。この要求は、本分野の技術者が研究すべき課題の１つでもある。
【考案の概要】
【考案が解決しようとする課題】
【０００３】
この考案は、多種切換操作を有するチップ型切換装置を提供する。
【課題を解決するための手段】
【０００４】
この考案のチップ型切換装置は、少なくとも１つの入力パッド、複数の制御パッド、複数の出力パッド、および複数の接地パッドを含む。入力パッドは、入力信号を受信するよう配置される。前記複数の制御パッドは、それぞれ複数の制御信号を受信するよう配置される。チップ型切換装置は、継電器の多種操作を有するとともに、制御信号に制御され、出力パッドにより入力信号に関連する出力信号を出力する。
【考案の効果】
【０００５】
以上のように、この考案のチップ型切換装置は、制御信号に制御され、継電器の多種接点操作を有する。
【０００６】
この考案の上記特徴および利点をより分かり易くするため、図面と併せた幾つかの実施形態を以下に説明する。
【図面の簡単な説明】
【０００７】
【図１】図１は、この考案の１つの実施形態に係るチップ型切換装置のパッド配置概略図である。
【図２】図２は、この考案の１つの実施形態に係るチップ型切換装置の操作概略図である。
【図３】図３Ａおよび図３Ｂは、それぞれこの考案の１つの実施形態に係るチップ型切換装置がＣ接点操作を実行する時の操作概略図である。図３Ｃおよび図３Ｄは、それぞれこの考案の１つの実施形態に係るチップ型切換装置がＡ接点操作を実行する時の操作概略図である。
【図４】図４は、この考案の１つの実施形態に係る複数のチップ型切換装置の操作概略図である。
【図５】図５は、この考案の１つの実施形態に係る複数のチップ型切換装置が同一基板に製造された時の概略図である。
【図６】図６Ａは、この考案の１つの実施形態に係る複数の静電気放電保護デバイスの配置概略図である。図６Ｂは、この考案の別の実施形態に係る複数の静電気放電保護デバイスの配置概略図である。
【図７】図７は、この考案の別の実施形態に係るチップ型切換装置のパッド配置概略図である。
【図８】図８は、この考案のさらに別の実施形態に係るチップ型切換装置のパッド配置概略図である。
【考案を実施するための形態】
【０００８】
図１を参照されたい。図１は、この考案の１つの実施形態に係るチップ型切換装置のパッド配置概略図である。本実施形態において、チップ型切換装置１００は、４つの側辺ＥＧ１〜ＥＧ４および平面ＰＬを有する。側辺ＥＧ１〜ＥＧ４において、それぞれ１０個のパッドを含む。平面ＰＬの上に、１個のパッドを含む。しかし、この考案は、これに限定されない。本実施形態の複数のパッドは、それぞれパッド番号（１）〜（４１）で表示する。本実施形態において、側辺ＥＧ１に設置された１０個のパッドは、パッド番号（１）〜（１０）で表示する。側辺ＥＧ２に設置された１０個のパッドは、パッド番号（１１）〜（２０）で表示し、以降も同様に表示する。平面ＰＬに設置されたパッドは、パッド番号（４１）で表示する。
【０００９】
本実施形態において、チップ型切換装置１００は、入力パッドＰＩｉｎ（パッド番号（３６））、４つの制御パッドＰＶｉｎ１〜ＰＶｉｎ４（それぞれ、パッド番号（２３）、（２６）、（５）、（８））、および４つの出力パッドＰＩｏ１〜ＰＩｏ４（それぞれ、パッド番号（１９）、（２９）、（２）、（１２））を含むよう設計される。入力パッドＰＩｉｎは、側辺ＥＧ４に設置される。入力パッドＰＩｉｎは、入力信号Ｉｉｎを受信する。本実施形態において、入力信号Ｉｉｎは、電流信号であってもよいが、この考案は、これに限定されない。これらの実施形態において、入力信号Ｉｉｎは、電圧信号であってもよい。制御パッドＰＶｉｎ１〜ＰＶｉｎ４は、それぞれ制御信号Ｖｉｎ１〜Ｖｉｎ４を受信する。例を挙げて説明すると、制御パッドＰＶｉｎ１は、制御信号Ｖｉｎ１を受信する。制御パッドＰＶｉｎ２は、制御信号Ｖｉｎ２を受信し、以降も同様に受信する。本実施形態において、チップ型切換装置１００は、継電器（relay）の多種接点操作を有し、制御信号Ｖｉｎ１〜Ｖｉｎ４に基づいて、出力パッドＰＩｏ１〜ＰＩｏ４により入力信号Ｉｉｎに関連する出力信号Ｉｏ１〜Ｉｏ４を出力する。本実施形態において、チップ型切換装置１００は、制御信号Ｖｉｎ１〜Ｖｉｎ４に基づいて、継電器のＡ接点操作およびＣ接点操作のうちの１つを少なくとも有する。このことからわかるように、チップ型切換装置１００は、制御信号Ｖｉｎ１〜Ｖｉｎ４に基づいて、多種切換操作を有することができる。
【００１０】
本実施形態において、チップ型切換装置１００は、さらに、複数の接地パッドＧＮＤを含む。上述した複数の接地パッドＧＮＤは、それぞれ接地電位に接続される。上述した複数の接地パッドＧＮＤのうちの複数の第１接地パッドＧＮＤ１（それぞれ、パッド番号（３５）、（３７））は、それぞれ入力パッドＰＩｉｎの隣接する両側に設置される。上述した複数の接地パッドＧＮＤのうちの複数の第２接地パッドＧＮＤ２（それぞれ、パッド番号（４）、（６）、（７）、（９）、（２２）、（２４）、（２５）、（２７））は、それぞれ制御パッドＰＶｉｎ１〜ＰＶｉｎ４の隣接する両側に設置される。また、上述した複数の接地パッドＧＮＤのうちの複数の第３接地パッドＧＮＤ３（それぞれ、パッド番号（１）、（３）、（１１）、（１３）、（１８）、（２０）、（２８）、（３０））は、それぞれ出力パッドＰＩｏ１〜ＰＩｏ４の隣接する両側に設置される。
【００１１】
表１は、本実施形態のチップ型切換装置１００のパッド配置を示したものである。
【００１２】
【表１】
0003234113.tif 000003
【００１３】
ここで、言及すべきこととして、高周波の応用領域において、入力パッドＰＩｉｎ、制御パッドＰＶｉｎ１〜ＰＶｉｎ４、および出力パッドＰＩｏ１〜ＰＩｏ４のうちの２つは、接地パッドＧＮＤのうちの２つにより間隔を空けることができる。上述した接地パッドＧＮＤのうちの２つは、高周波信号によって生じる高周波干渉を有効に遮蔽することができる。これにより、チップ型切換装置１００は、比較的高い伝送効率を有することができる。
【００１４】
本実施形態において、接地パッドＧＮＤのうちの第４接地パッドＧＮＤ４（パッド番号（４１））をチップ型切換装置１００の主要接地パッドとする。第４接地パッドＧＮＤ４は、チップ型切換装置１００の平面ＰＬの上に設置される。したがって、接地パッドＧＮＤの数は、入力パッドＰＩｉｎ、制御パッドＰＶｉｎ１〜ＰＶｉｎ４、および出力パッドＰＩｏ１〜ＰＩｏ４の総数の２倍に１を足した数に等しい。本実施形態の入力パッドＰＩｉｎ、制御パッドＰＶｉｎ１〜ＰＶｉｎ４、および出力パッドＰＩｏ１〜ＰＩｏ４の間のパッド数の比率に基づいて、接地パッドＧＮＤの数を以下の公式で得ることができる。
【００１５】
[数式１]
Ｎ＿ＧＮＤ＝２×Ａ×（Ｎ＿Ｉｉｎ＋４×Ｎ＿Ｖｉｎ＋４×Ｎ＿Ｉｏ）＋１……（式１）
【００１６】
Ｎ＿ＧＮＤは、接地パッドＧＮＤの数である。Ａは、入力パッドＰＩｉｎの数である。図１の配置形態を例に挙げると、Ａは、１に等しい。Ｎ＿Ｉｉｎ＝Ｎ＿Ｖｉｎ＝Ｎ＿Ｉｏ＝１。したがって、式1に基づくと、接地パッドＧＮＤの数は、１９である。その他の配置形態において、Ａは、２であってもよい。接地パッドＧＮＤの数は、３７である。
【００１７】
これらの実施形態において、第４接地パッドＧＮＤ４がない状況では、接地パッドＧＮＤの数の数を以下の式２に基づいて得ることができる。
【００１８】
[数式２]
Ｎ＿ＧＮＤ＝２×Ａ×（Ｎ＿Ｉｉｎ＋４×Ｎ＿Ｖｉｎ＋４×Ｎ＿Ｉｏ）………（式２）
【００１９】
さらに例を挙げて説明すると、側辺ＥＧ１の場合、出力パッドＰＩｏ３の両側の隣接するパッド（パッド番号（１）、（３））は、第３接地パッドＧＮＤ３として設計される。制御パッドＰＶｉｎ３の両側の隣接するパッド（パッド番号（４）、（６））は、第２接地パッドＧＮＤ２として設計される。出力パッドＰＩｏ３と制御パッドＰＶｉｎ３の間には、接地に用いる第２接地パッドＧＮＤ２および第３接地パッドＧＮＤ３がある。制御パッドＰＶｉｎ３と制御パッドＰＶｉｎ４の間には、接地に用いる第２接地パッドＧＮＤ２および第３接地パッドＧＮＤ３がある。このことからわかるように、チップ型切換装置１００は、２つの接地パッドにより、出力パッドＰＩｏ３と制御パッドＰＶｉｎ３の間の高周波干渉を遮蔽する。チップ型切換装置１００は、また、２つの接地パッドにより、制御パッドＰＶｉｎ３と制御パッドＰＶｉｎ４の間の高周波干渉も遮蔽する。
【００２０】
本実施形態において、制御パッドＰＶｉｎ１〜ＰＶｉｎ４および出力パッドＰＩｏ２、ＰＩｏ３は、チップ型切換装置１００の側辺ＥＧ４と異なる向かい合う２つの側辺ＥＧ１、ＥＧ３に対称に設置される。出力パッドＰＩｏ１、ＰＩｏ４は、チップ型切換装置１００の側辺ＥＧ４と異なる向かい合う側辺ＥＧ２に対称に設置される。例を挙げて説明すると、側辺ＥＧ１に設置された制御パッドＰＶｉｎ３は、側辺ＥＧ３に設置された制御パッドＰＶｉｎ２と対称に配置される。側辺ＥＧ１に設置された制御パッドＰＶｉｎ４は、側辺ＥＧ３に設置された制御パッドＰＶｉｎ１と対称に配置される。側辺ＥＧ１に設置された出力パッドＰＩｏ３は、側辺ＥＧ３に設置された出力パッドＰＩｏ２と対称に配置される。側辺ＥＧ２に設置された出力パッドＰＩｏ１、ＰＩｏ４は、対称に配置される。本実施形態において、側辺ＥＧ１に設置された制御パッドＰＶｉｎ３は、第１制御信号対の第１制御信号を受信するために使用することができ、同様に、側辺ＥＧ１に設置された制御パッドＰＶｉｎ４は、第１制御信号対の第２制御信号を受信するために使用することができる。同様に、側辺ＥＧ３に設置された制御パッドＰＶｉｎ１は、第２制御信号対の第１制御信号を受信するために使用することができ、同様に、側辺ＥＧ３に設置された制御パッドＰＶｉｎ２は、第２制御信号対の第２制御信号を受信するために使用することができる。つまり、制御信号Ｖｉｎ３、Ｖｉｎ４は、それぞれ第１制御信号対の第１制御信号および第２制御信号であってもよく、制御信号Ｖｉｎ１、Ｖｉｎ２は、それぞれ第２制御信号対の第１制御信号および第２制御信号であってもよい。
【００２１】
続いて、例を挙げてチップ型切換装置１００の切換操作について説明する。図２および表２を参照されたい。図２は、この考案の１つの実施形態に係るチップ型切換装置の操作概略図である。表２は、この考案の１つの実施形態の真理値表である。
【００２２】
【表２】
0003234113.tif 000004
【００２３】
本実施形態において、チップ型切換装置１００の入力パッドＰＩｉｎは、入力信号Ｉｉｎを受信する。制御パッドＰＶｉｎ１は、制御信号対の制御信号Ｖｉｎ１を受信する。制御パッドＰＶｉｎ２は、制御信号対の別の制御信号Ｖｉｎ２を受信する。制御パッドＰＶｉｎ３、ＰＶｉｎ４は、それぞれ接地電位に電気接続される。表２に示した真理値表は、単一入力のチップ型切換装置１００に適用される。本実施形態において、チップ型切換装置１００は、制御信号Ｖｉｎ１、Ｖｉｎ２の制御に反応して、出力パッドＰＩｏ１〜ＰＩｏ４が出力信号Ｉｏ１〜Ｉｏ４を出力するかどうかを決定することができる。
【００２４】
例を挙げて説明すると、図２、図３Ａ、図３Ｂ、および表２を同時に参照されたい。図３Ａおよび図３Ｂは、それぞれこの考案の１つの実施形態に係るチップ型切換装置がＣ接点操作を実行する時の操作概略図である。制御信号Ｖｉｎ１の論理レベルが第１論理レベル（例えば、高論理レベル「１」）であり、制御信号Ｖｉｎ２の論理レベルが第２論理レベル（例えば、高論理レベル「０」）である時、チップ型切換装置１００は、図３Ａに示すように、継電器（relay）のＣ接点の「ＯＮ」操作を実行する。例を挙げて説明すると、制御信号Ｖｉｎ１の論理レベルが第１論理レベルであり、制御信号Ｖｉｎ２の論理レベルが第２論理レベルである時、チップ型切換装置１００は、出力パッドＰＩｏ３、ＰＩｏ４を選択する出力パッドとして選択する。したがって、チップ型切換装置１００は、出力パッドＰＩｏ３、ＰＩｏ４により出力信号Ｉｏ３、Ｉｏ４を出力する（表２において「１」で表示）。出力信号Ｉｏ３、Ｉｏ４は、実質的に、Ｉｉｎに関連する。選択されなかった出力パッドＰＩｏ１、ＰＩｏ２は、出力信号Ｉｏ１、Ｉｏ２を出力しない（表２において「０」で表示）。
【００２５】
制御信号Ｖｉｎ１の論理レベルが第２論理レベルであり、制御信号Ｖｉｎ２の論理レベルが第１論理レベルである時、チップ型切換装置１００は、図３Ｂに示すように、継電器のＣ接点の「ＯＦＦ」操作を実行する。例を挙げて説明すると、制御信号Ｖｉｎ１の論理レベルが第２論理レベルであり、制御信号Ｖｉｎ２の論理レベルが第１論理レベルである時、チップ型切換装置１００は、出力パッドＰＩｏ１、ＰＩｏ２を選択する出力パッドとして選択する。したがって、チップ型切換装置１００は、出力パッドＰＩｏ１、ＰＩｏ２により出力信号Ｉｏ１、Ｉｏ２を出力する。出力信号Ｉｏ１、Ｉｏ２は、実質的に、Ｉｉｎに関連する。選択されなかった出力パッドＰＩｏ３、ＰＩｏ４は、出力信号Ｉｏ３、Ｉｏ４を出力しない。
【００２６】
さらに、例を挙げて説明すると、図２、図３Ｃ、図３Ｄ、および表２を同時に参照されたい。図３Ｃおよび図３Ｄは、それぞれこの考案の１つの実施形態に係るチップ型切換装置がＡ接点操作を実行する時の操作概略図である。制御信号Ｖｉｎ１、Ｖｉｎ２の論理レベルがいずれも第２論理レベルである時、チップ型切換装置１００は、図３Ｃに示すように、継電器のＡ接点の「ＯＦＦ」操作を実行する。例を挙げて説明すると、制御信号Ｖｉｎ１、Ｖｉｎ２の論理レベルがいずれも第２論理レベルである時、チップ型切換装置１００は、出力パッドＰＩｏ１〜ＰＩｏ４を選択する出力パッドとして選択しない。したがって、チップ型切換装置１００は、出力パッドＰＩｏ１〜ＰＩｏ４により出力信号Ｉｏ１〜Ｉｏ４を出力しない。
【００２７】
制御信号Ｖｉｎ１、Ｖｉｎ２の論理レベルがいずれも第１論理レベルである時、チップ型切換装置１００は、図３Ｄに示すように、継電器のＡ接点の「ＯＮ」操作を実行する。例を挙げて説明すると、制御信号Ｖｉｎ１、Ｖｉｎ２の論理レベルがいずれも第１論理レベルである時、チップ型切換装置１００は、出力パッドＰＩｏ１〜ＰＩｏ４を選択する出力パッドとして選択する。したがって、チップ型切換装置１００は、出力パッドＰＩｏ１〜ＰＩｏ４により出力信号Ｉｏ１〜Ｉｏ４を出力する。出力信号Ｉｏ１、Ｉｏ２は、実質的に、Ｉｉｎに関連する。
【００２８】
上述した教示に基づくと、チップ型切換装置１００は、継電器のＡ接点操作とＣ接点操作の間で切換を行うよう制御信号Ｖｉｎ１、Ｖｉｎ２に制御される。つまり、チップ型切換装置１００は、継電器のＡ接点操作およびＣ接点操作のうちの1つを実行するよう制御信号Ｖｉｎ１、Ｖｉｎ２に制御される。
【００２９】
この考案において、表２に示した真理値表は、２つのチップ型切換装置にも適用される。例を挙げて説明すると、表２および図４を同時に参照されたい。図４は、この考案の１つの実施形態に係る複数のチップ型切換装置の操作概略図である。本実施形態において、図４は、チップ型切換装置１００＿１、１００＿２の操作範例を示したものである。チップ型切換装置１００＿１、１００＿２はそれぞれ、例えば、図１のチップ型切換装置１００により実現する。チップ型切換装置１００＿１の入力パッドＰＩｉｎは、入力信号Ｉｉｎ１を受信する。チップ型切換装置１００＿２の入力パッドＰＩｉｎは、入力信号Ｉｉｎ２を受信する。入力信号Ｉｉｎ１は、入力信号Ｉｉｎ２と異なる。チップ型切換装置１００＿１の制御パッドＰＶｉｎ１およびチップ型切換装置１００＿２の制御パッドＰＶｉｎ１は、共同で、制御信号対の制御信号Ｖｉｎ１を受信する。チップ型切換装置１００＿１の制御パッドＰＶｉｎ２およびチップ型切換装置１００＿２の制御パッドＰＶｉｎ２は、制御信号対の別の制御信号Ｖｉｎ２を受信する。チップ型切換装置１００＿１の制御パッドＰＶｉｎ３、ＰＶｉｎ４およびチップ型切換装置１００＿２の制御パッドＰＶｉｎ３、ＰＶｉｎ４は、それぞれ接地電位に電気接続される。また、チップ型切換装置１００＿１の出力パッドＰＩｏ２、ＰＩｏ３およびチップ型切換装置１００＿２の出力パッドＰＩｏ２、ＰＩｏ３は、それぞれ接地電位に電気接続される。
【００３０】
制御信号Ｖｉｎ１の論理レベルが第１論理レベル（例えば、高論理レベル「１」）であり、制御信号Ｖｉｎ２の論理レベルが第２論理レベル（例えば、高論理レベル「０」）である時、チップ型切換装置１００は、継電器のＣ接点の「ＯＮ」操作を実行する。例を挙げて説明すると、制御信号Ｖｉｎ１の論理レベルが第１論理レベルであり、制御信号Ｖｉｎ２の論理レベルが第２論理レベルである時、チップ型切換装置１００＿１は、出力パッドＰＩｏ１を選択する出力パッドとして選択し、出力信号Ｉｏ３を出力する。チップ型切換装置１００＿２は、出力パッドＰＩｏ４を選択する出力パッドとして選択し、出力信号Ｉｏ４を出力する。出力信号Ｉｏ３は、実質的に、Ｉｉｎ１に関連する。出力信号Ｉｏ４は、実質的に、Ｉｉｎ２に関連する。つまり、出力信号Ｉｏ３、Ｉｏ４は、実質的に、互いに異なる入力信号Ｉｉｎ１、Ｉｉｎ２に関連する。チップ型切換装置１００＿１は、出力信号Ｉｏ１を出力しない出力パッドＰＩｏ４を選択する。チップ型切換装置１００＿２は、出力信号Ｉｏ２を出力しない出力パッドＰＩｏ１を選択する。
【００３１】
制御信号Ｖｉｎ１の論理レベルが第２論理レベルであり、制御信号Ｖｉｎ２の論理レベルが第１論理レベルである時、チップ型切換装置１００＿１、１００＿２は、共同で、継電器のＣ接点の「ＯＦＦ」操作を実行する。例を挙げて説明すると、制御信号Ｖｉｎ１の論理レベルが第２論理レベルであり、制御信号Ｖｉｎ２の論理レベルが第１論理レベルである時、チップ型切換装置１００＿１は、出力パッドＰＩｏ４を選択する出力パッドとして選択し、出力信号Ｉｏ１を出力する。チップ型切換装置１００＿２は、出力パッドＰＩｏ１を選択する出力パッドとして選択し、出力信号Ｉｏ２を出力する。出力信号Ｉｏ１は、実質的に、Ｉｉｎ１に関連する。出力信号Ｉｏ２は、実質的に、Ｉｉｎ２に関連する。チップ型切換装置１００＿１は、出力信号Ｉｏ３を出力しない出力パッドＰＩｏ１を選択する。チップ型切換装置１００＿２は、出力信号Ｉｏ４を出力しない出力パッドＰＩｏ４を選択する。
【００３２】
制御信号Ｖｉｎ１、Ｖｉｎ２の論理レベルがいずれも第２論理レベルである時、チップ型切換装置１００＿１、１００＿２は、共同で、継電器のＡ接点の「ＯＦＦ」操作を実行する。例を挙げて説明すると、制御信号Ｖｉｎ１、Ｖｉｎ２の論理レベルがいずれも第２論理レベルである時、チップ型切換装置１００＿１は、出力パッドＰＩｏ１、ＰＩｏ４を選択する出力パッドとして選択しない。チップ型切換装置１００＿２も、出力パッドＰＩｏ１、ＰＩｏ４を選択する出力パッドとして選択しない。したがって、チップ型切換装置１００＿１、１００＿２の両者は、出力パッドＰＩｏ１、ＰＩｏ４により出力信号Ｉｏ１〜Ｉｏ４を出力しない。
【００３３】
制御信号Ｖｉｎ１、Ｖｉｎ２の論理レベルがいずれも第１論理レベルである時、チップ型切換装置１００＿１、１００＿２は、共同で、継電器のＡ接点の「ＯＮ」操作を実行する。例を挙げて説明すると、制御信号Ｖｉｎ１、Ｖｉｎ２の論理レベルがいずれも第１論理レベルである時、チップ型切換装置１００＿１、１００＿２の両者は、出力パッドＰＩｏ１、ＰＩｏ４を選択する出力パッドとして選択する。したがって、チップ型切換装置１００＿１、１００＿２の両者は、出力パッドＰＩｏ１、ＰＩｏ４により出力信号Ｉｏ１〜Ｉｏ４を出力する。出力信号Ｉｏ１、Ｉｏ３は、実質的に、Ｉｉｎ１に関連する。出力信号Ｉｏ２、Ｉｏ４は、実質的に、Ｉｉｎ２に関連する。つまり、出力信号Ｉｏ１〜Ｉｏ４は、実質的に、互いに異なる入力信号Ｉｉｎ１、Ｉｉｎ２に関連する。
【００３４】
続いて、チップ型切換装置の製造について紹介する。図５を参照されたい。図５は、この考案の１つの実施形態に係る複数のチップ型切換装置が同一基板に製造された時の概略図である。本実施形態において、２N個のチップ型切換装置１００＿１〜１００＿４は、チップ（chipまたはdie）製造過程により同一基板ＳＢの上に製造される。Ｎは、正の整数である。説明しやすくするため、本実施形態では、Ｎが２に等しい場合を範例とする。別のいくつかの実施形態において、２N個のチップ型切換装置は、アレイのレイアウト方式で同一基板ＳＢの上に製造される。本実施形態の基板ＳＢは、例えば、シリコンウェハであるが、この考案は、基板の材料、類型に限定されない。
【００３５】
本実施形態において、２N個のチップ型切換装置１００＿１〜１００＿４は、単一のチップ型切換装置を単位として適切に切断される。切断されたチップ型切換装置１００＿１〜１００＿４は、同じ、または異なるキャリアの上に設置される。キャリアは、リジット基板、フレキシブルプリント基板、リジッドフレキシブル基板であってもよい。この考案は、キャリアの材料、類型に限定されない。本実施形態において、チップ型切換装置１００＿１を例に挙げると、キャリア上に設置されたチップ型切換装置１００＿１は、封止ゲルが敷設される。チップ型切換装置１００＿１の入力パッド、制御パッド、出力パッド、および接地パッドは、封止ゲルにおいて露出する。
【００３６】
図６Ａを参照されたい。図６Ａは、この考案の１つの実施形態に係る複数の静電放電（Electrostatic Discharge, ESD）保護デバイスの配置概略図である。本実施形態において、チップ型切換装置１００＿３のＥＳＤ保護デバイス１１０＿１〜１１０＿５を上述したチップ製造過程においてそれぞれチップ型切換装置１００＿３内に製造して、ＥＳＤ保護デバイス１１０＿１〜１１０＿５がそれぞれチップ型切換装置１００＿３の入力パッドＰＩｉｎおよび出力パッドＰＩｏ１〜ＰＩｏ４に接続できるようにする。さらに説明すると、入力パッドＰＩｉｎおよび出力パッドＰＩｏ１〜ＰＩｏ４は、それぞれＥＳＤ保護デバイス１１０＿１〜１１０＿５に並列接続される。例を挙げて説明すると、ＥＳＤ保護デバイス１１０＿１は、入力パッドＰＩｉｎに並列接続される。ＥＳＤ保護デバイス１１０＿２は、出力パッドＰＩｏ１に並列接続される。ＥＳＤ保護デバイス１１０＿３は、出力パッドＰＩｏ２に並列接続され、以降も同様に接続される。このようにして、入力パッドＰＩｉｎおよび出力パッドＰＩｏ１〜ＰＩｏ４は、静電気放電を受けて破壊するのを回避することができる。
【００３７】
図６Ｂを参照されたい。図６Ｂは、この考案の別の実施形態に係る複数の静電気放電保護デバイスの配置概略図である。本実施形態において、ＥＳＤ保護デバイス１１０＿１〜１１０＿５をキャリアの上で製造するよう設計し、ＥＳＤ保護デバイス１１０＿１〜１１０＿５がそれぞれチップ型切換装置１００＿３の外部からチップ型切換装置１００＿３の入力パッドＰＩｉｎおよび出力パッドＰＩｏ１〜ＰＩｏ４に接続できるようにしてもよい。さらに説明すると入力パッドＰＩｉｎおよび出力パッドＰＩｏ１〜ＰＩｏ４はそれぞれ、ＥＳＤ保護デバイス１１０＿１〜１１０＿５に並列接続される。例を挙げて説明すると、ＥＳＤ保護デバイス１１０＿１は、入力パッドＰＩｉｎに並列接続される。ＥＳＤ保護デバイス１１０＿２は、出力パッドＰＩｏ１に並列接続される。ＥＳＤ保護デバイス１１０＿３は、出力パッドＰＩｏ２に並列接続され、以降も同様に接続される。
【００３８】
図７を参照されたい。図７は、この考案の別の実施形態に係るチップ型切換装置のパッド配置概略図である。本実施形態において、チップ型切換装置２００は、４つの側辺ＥＧ１〜ＥＧ４および平面ＰＬを有する。側辺ＥＧ１〜ＥＧ４において、それぞれ８個のパッドを含む。平面ＰＬの上に、１個のパッドを含む。本実施形態の複数のパッドは、それぞれパッド番号（１）〜（３３）で表示する。本実施形態において、側辺ＥＧ１に設置された８個のパッドは、パッド番号（１）〜（８）で表示する。側辺ＥＧ２に設置された８個のパッドは、パッド番号（９）〜（１６）で表示し、以降も同様に表示する。平面ＰＬに設置されたパッドは、パッド番号（３３）で表示する。
【００３９】
本実施形態において、チップ型切換装置２００は、入力パッドＰＩｉｎ（パッド番号（２９））、４つの制御パッドＰＶｉｎ１〜ＰＶｉｎ４（それぞれ、パッド番号（５）、（７）、（１８）、（２０））、および４つの出力パッドＰＩｏ１〜ＰＩｏ４（それぞれ、パッド番号（２）、（１０）、（１５）、（２３））を含むよう設計される。その他のパッドは、接地パッドとして設計される。本実施形態において、チップ型切換装置２００の同一側辺に設置された入力パッドＰＩｉｎ、制御パッドＰＶｉｎ１〜ＰＶｉｎ４、および出力パッドＰＩｏ１〜ＰＩｏ４のうちの２つは、少なくとも１つの接地パッドＧＮＤにより間隔を空ける。例を挙げて説明すると、側辺ＥＧ１において、出力パッドＰＩｏ３と制御パッドＰＶｉｎ３は、２つの接地パッドＧＮＤにより間隔を空ける。制御パッドＰＶｉｎ３、ＰＶｉｎ４は、１つの接地パッドＧＮＤにより間隔を空ける。側辺ＥＧ２において、出力パッドＰＩｏ１、ＰＩｏ４は、４つの接地パッドＧＮＤにより間隔を空ける。側辺ＥＧ３において、出力パッドＰＩｏ２と制御パッドＰＶｉｎ２は、２つの接地パッドＧＮＤにより間隔を空ける。制御パッドＰＶｉｎ１、ＰＶｉｎ２は、１つの接地パッドＧＮＤにより間隔を空ける。
【００４０】
チップ型切換装置１００と同様に、本実施形態において、制御パッドＰＶｉｎ１〜ＰＶｉｎ４と出力パッドＰＩｏ２、ＰＩｏ３は、チップ型切換装置２００の側辺ＥＧ４と異なる向かい合う２つの側辺ＥＧ１、ＥＧ３に対称に設置される。出力パッドＰＩｏ１、ＰＩｏ４は、チップ型切換装置２００の側辺ＥＧ４と異なる向かい合う側辺ＥＧ２に対称に設置される。
【００４１】
表３は、本実施形態のチップ型切換装置２００のパッド配置を示したものである。
【００４２】
【表３】
0003234113.tif 000005
【００４３】
本実施形態において、入力パッドＰＩｉｎ、制御パッドＰＶｉｎ１〜ＰＶｉｎ４、および出力パッドＰＩｏ１〜ＰＩｏ４の実施方式およびチップ型切換装置２００の操作方式は、図１〜図４の複数の実施形態から十分な教示を得ることができるため、ここでは繰り返し説明しない。本実施形態において、チップ型切換装置２００は、継電器の多種接点操作を有するとともに、制御信号Ｖｉｎ１〜Ｖｉｎ４に基づいて、出力パッドＰＩｏ１〜ＰＩｏ４により入力信号Ｉｉｎに関連する出力信号Ｉｏ１〜Ｉｏ４を出力することができる。
【００４４】
図８を参照されたい。図８は、この考案のさらに別の実施形態に係るチップ型切換装置のパッド配置概略図である。本実施形態において、チップ型切換装置３００は、側辺ＥＧ１、ＥＧ２、および平面ＰＬを有する。側辺ＥＧ１、ＥＧ２は、互いに向かい合う。側辺ＥＧ１、ＥＧ２において、それぞれ１０個のパッドを含む。平面ＰＬの上に、１個のパッドを含む。本実施形態の複数のパッドは、それぞれパッド番号（１）〜（２１）で表示する。本実施形態において、側辺ＥＧ２に設置された１０個のパッドは、パッド番号（１）〜（１０）で表示する。側辺ＥＧ１に設置された１０個のパッドは、パッド番号（１１）〜（２０）で表示する。平面ＰＬに設置されたパッドは、パッド番号（２１）で表示する。
【００４５】
本実施形態において、チップ型切換装置３００は、２つの入力パッドＰＩｉｎ１、ＰＩｉｎ２（パッド番号（１４）、（１７））、２つの制御パッドＰＶｉｎ１、ＰＶｉｎ２（それぞれ、パッド番号（１１）、（２０））、および４つの出力パッドＰＩｏ１〜ＰＩｏ４（それぞれ、パッド番号（２）、（４）、（７）、（９））を含むよう設計される。その他のパッドは、接地パッドとして設計される。本実施形態において、入力パッドＰＩｉｎ１、ＰＩｉｎ２と制御パッドＰＶｉｎ１、ＰＶｉｎ２は、側辺ＥＧ１に対称に設置される。出力パッドＰＩｏ１〜ＰＩｏ４は、側辺ＥＧ２に対称に設置される。本実施形態において、チップ型切換装置３００の側辺ＥＧ１に設置された入力パッドＰＩｉｎ１、ＰＩｉｎ２と制御パッドＰＶｉｎ１、ＰＶｉｎ２は、相互間に少なくとも１つの接地パッドＧＮＤにより間隔を空ける。チップ型切換装置３００の側辺ＥＧ２に設置された出力パッドＰＩｏ１〜ＰＩｏ４は、少なくとも１つの接地パッドＧＮＤにより間隔を空ける。例を挙げて説明すると、側辺ＥＧ１において、入力パッドＰＩｉｎ１、ＰＩｉｎ２と制御パッドＰＶｉｎ１、ＰＶｉｎ２は、相互間に２つの接地パッドＧＮＤにより間隔を空ける。側辺ＥＧ２において、出力パッドＰＩｏ１、ＰＩｏ２は、１つの接地パッドＧＮＤにより間隔を空ける。出力パッドＰＩｏ２、ＰＩｏ３は、２つの接地パッドＧＮＤにより間隔を空ける。出力パッドＰＩｏ３、ＰＩｏ４は、１つの接地パッドＧＮＤにより間隔を空ける。
【００４６】
表４は、本実施形態のチップ型切換装置３００のパッド配置を示したものである
【００４７】
【表４】
0003234113.tif 000006
【００４８】
本実施形態において、入力パッドＰＩｉｎ１、ＰＩｉｎ２、制御パッドＰＶｉｎ１、ＰＶｉｎ２、および出力パッドＰＩｏ１〜ＰＩｏ４の実施方式およびチップ型切換装置３００の操作方式は、図１〜図４の複数の実施形態から十分な教示を得ることができるため、ここでは繰り返し説明しない。本実施形態において、チップ型切換装置３００は、継電器の多種接点操作を有するとともに、制御信号Ｖｉｎ１、Ｖｉｎ２に基づいて、出力パッドＰＩｏ１〜ＰＩｏ４により入力信号Ｉｉｎ１、Ｉｉｎ２に関連する出力信号Ｉｏ１〜Ｉｏ４を出力することができる。
【００４９】
以上のように、この考案のチップ型切換装置は、制御信号に基づいて多種切換操作を実行することができる。高周波の応用領域において、入力パッド、制御パッド、および出力パッドのうちの２つは、接地パッドのうちの２つにより間隔を空けることができる。上述した接地パッドのうちの２つは、高周波信号によって生じる高周波干渉を有効に遮蔽することができる。これにより、チップ型切換装置は、比較的高い伝送効率を有することができる。また、入力パッドおよび上述した複数の出力パッドは、それぞれ静電気放電保護デバイスを配置する。これにより、入力パッドおよび出力パッドは、静電気放電を受けて破壊するのを回避することができる。したがって、この考案のチップ型切換装置は、多種切換操作を実行できるだけでなく、より優れた信頼性も有する。
【００５０】
以上のように、この考案を実施形態により開示したが、この考案を限定するために用いるものではなく、当業者であれば、この考案の精神および範囲から逸脱しなければ、いくつかの変更ならびに修正が可能であるため、この考案の保護範囲は、添付の特許請求の範囲を基準として定めなければならない。
【符号の説明】
【００５１】
（１）〜（４１）  パッド番号
１００、１００＿１、１００＿２、１００＿３、１００＿４、２００、３００  チップ型切換装置
１１０＿１、１１０＿２、１１０＿３、１１０＿４、１１０＿５  静電気放電保護デバイス
ＥＧ１、ＥＧ２、ＥＧ３、ＥＧ４  側辺
ＧＮＤ  接地パッド
ＧＮＤ１  第１接地パッド
ＧＮＤ２  第２接地パッド
ＧＮＤ３  第３接地パッド
ＧＮＤ４  第４接地パッド
Ｉｉｎ、Ｉｉｎ１、Ｉｉｎ２  入力信号
Ｉｏ１、Ｉｏ２、Ｉｏ３、Ｉｏ４  出力信号
ＰＩｉｎ  入力パッド
ＰＩｏ１、ＰＩｏ２、ＰＩｏ３、ＰＩｏ４  出力パッド
ＰＬ  平面
ＰＶｉｎ１、ＰＶｉｎ２、ＰＶｉｎ３、ＰＶｉｎ４  制御パッド
ＳＢ  基板
Ｖｉｎ１、Ｖｉｎ２、Ｖｉｎ３、Ｖｉｎ４  制御信号
【図１】
0003234113.tif 000007
【図２】
0003234113.tif 000008
【図３Ａ】
0003234113.tif 000009
【図３Ｂ】
0003234113.tif 000010
【図３Ｃ】
0003234113.tif 000011
【図３Ｄ】
0003234113.tif 000012
【図４】
0003234113.tif 000013
【図５】
0003234113.tif 000014
【図６Ａ】
0003234113.tif 000015
【図６Ｂ】
0003234113.tif 000016
【図７】
0003234113.tif 000017
【図８】
0003234113.tif 000018